(57)【要約】【課題】操作部の着脱を容易に行うことができるとともに、操作部の脱落を防止することができる、着脱自在な操作部を備えた電気機器を得る。【解決手段】電気機器本体部４の表面側に取り付けられた表面カバー５の表面側の凹部５ａに、該表面から直角方向に該表面に平行に突出した複数のＵ字状突出部５ｂを設けるとともに、該U字状突出部５ｂから直角方向に突出した突起部５ｃを設け、かつ表面カバー５の表面側には表面カバー５の各U字状突出部５ｂを挿通させる挿通溝６ａを有する操作部保持部材６を設け、操作部保持部材６の表面側に操作部７を保持するとともに、操作部７には表面カバー５の各突起部５ｃと着脱自在に係合する凹部７ａを設ける。【選択図】図２
2009272192.tif 000002
【特許請求の範囲】
【請求項１】
電気機器の本体部を収納した電気機器本体部と、電気機器本体部の表面側に取り付けられるとともに、表面側に該表面から直角方向に該表面と平行に突出した複数のU字状の突出部が設けられ、かつ各U字状の突出部の先端部に該突出部から直角方向に突出した突起部が設けられた表面カバーと、表面カバーの表面側に取り付けられ、表面カバーの各U字状突出部にそれぞれ対応して該U字状突出部を挿通させる挿通溝が設けられた操作部保持部材と、操作部保持部材の表面側に保持されるとともに、表面カバーの各突起部とそれぞれ着脱自在に係合する各凹部が設けられ、電気機器本体部を操作する操作部とを備えたことを特徴とする着脱自在な操作部を備えた電気機器。
【発明の詳細な説明】
【技術分野】
【０００１】
この発明は、インバータ等の電気機器に関し、特に脱着自在な操作部を備えた電気機器に関するものである。
【背景技術】
【０００２】
インバータ等の電気機器においては、運転、停止はもちろんのこと、インバータ等の設定を変えたり、あるいはインバータ等に接続されたモータ等の設定等を変えたりするために操作部が設けられており、この操作部は電気機器本体部から取り外して操作した方が操作しやすい場合もあり、操作部を本体部から着脱自在とすることがある。
【０００３】
図３（ａ）〜（ｃ）は従来のインバータにおける表面側に着脱自在な操作部が設けられた表面カバーの斜視図、操作部が表面カバーに取り付けられた状態の横断平面図及び操作部が表面カバーから取り外された状態の横断平面図を示し、１は凹部１ａが設けられるとともに、凹部１ａの内面側の左右両側に突起部１ｂが設けられた表面カバー、２は左右の爪部２ａに設けられた係合孔２ｂに表面カバー１の突起部１ｂが着脱自在に係合される操作部であり、操作部２は図示しないインバータ本体部等を操作する。
【０００４】
操作部２を表面カバー１から取り外す際には、図３（ａ），（ｃ）に示すように、人間の手３によって操作部２の左右の爪部２ａを内側に狭める。
【０００５】
なお、この出願の発明に関連する先行技術文献情報としては、次のものがある。
【特許文献１】特開平７−２８５３８８号公報
【特許文献２】特開２００４−２８８４０２号公報
【特許文献３】特開２００５−３１１１１６号公報
【発明の開示】
【発明が解決しようとする課題】
【０００６】
前記したように、操作部２を表面カバー１から取り外す際には、人間の手３によって操作部２の左右の爪部２ａを内側に狭めるが、この場合、爪部２ａの係合孔２ｂと突起部１ｂとの係合がきつければ、取り外し難いという欠点があり、爪部２ａの係合孔２ｂと突起部１ｂとの係合があまければ、操作部２が脱落しやすいという欠点があった。
【０００７】
この発明は上記のような課題を解決するために成されたものであり、操作部の着脱を容易に行うことができるとともに、操作部の脱落を防止することができる着脱自在な操作部を備えた電気機器を得ることを目的とする。
【課題を解決するための手段】
【０００８】
この発明の請求項１に係る着脱自在な操作部を備えた電気機器は、電気機器の本体部を収納した電気機器本体部と、電気機器本体部の表面側に取り付けられるとともに、表面側に該表面から直角方向に該表面と平行に突出した複数のU字状の突出部が設けられ、かつ各Ｕ字状の突出部の先端部に該突出部から直角方向に突出した突起部が設けられた表面カバーと、表面カバーの表面側に取り付けられ、表面カバーの各Ｕ字状突出部にそれぞれ対応して該Ｕ字状突出部を挿通させる挿通溝が設けられた操作部保持部材と、操作部保持部材の表面側に保持されるとともに、表面カバーの各突起部とそれぞれ着脱自在に係合する各凹部が設けられ、電気機器本体部を操作する操作部とを備えたものである。
【発明の効果】
【０００９】
以上のようにこの発明の請求項１によれば、電気機器本体部の表面側に取り付けられた表面カバーの表面側に、該表面から直角方向に該表面に平行に突出した複数のＵ字状突出部が設けられるとともに、該U字状突出部から直角方向に突出した突起部が設けられ、表面カバーの表面側には表面カバーの各U字状突出部を挿通させる挿通溝を有する操作部保持部材が設けられ、操作部は操作部保持部材の表面側に保持されるとともに、その各凹部が表面カバーの各突起部と着脱自在に係合しており、表面カバーのU字状突出部はばね作用を有し、その先端の突起部は上下に移動し、該突起部と操作部の凹部との係脱は容易に行われるとともに、突起部と凹部との係合であるから、意図しないときに操作部が脱落するのが防止される。
【発明を実施するための最良の形態】
【００１０】
以下、この発明を実施するための最良の形態を図面とともに説明する。図１はこの発明の実施最良形態による着脱自在な操作部を備えた電気機器の斜視図を示し、４はインバータ等の電気機器の本体部を収納した電気機器本体部、５は電気機器本体部４の表面側に取り付けられた表面カバーであり、その表面側には凹部５ａが形成され、凹部５ａには操作部保持部材６が取り付けられ、操作部保持部材６の表面側には操作部７が着脱自在に保持される。操作部７は、電気機器本体部４を操作する。
【００１１】
図２（ａ）は操作部７の斜視図を示し、図２（ｂ）は操作部保持部材６の斜視図を示し、図２（ｃ）は図２（ｂ）のＡ部拡大図を示す。５ｂは表面カバー５の表面側に該表面から直角方向に該表面と平行に突出して形成されたＵ字状の突出部であり、Ｕ字状突出部５ｂは表面カバー５の凹部５ａの左右上下の４箇所に形成され、Ｕ字状突出部５ｂの先端部には該突出部５ｂから直角な方向に突出した突起部５ｃが形成される。表面カバー５の表面側の凹部５ａに取り付けられた操作部保持部材６には、表面カバー５の各Ｕ字状突出部５ｂをそれぞれ挿通させる挿通溝６ａが４箇所に形成され、操作部保持部材６の表面側に保持される操作部７には表面カバー５の各突起部５ｃとそれぞれ着脱自在に係合する凹部７ａが４箇所に設けられる。
【００１２】
前記構成において、表面カバー５の各Ｕ字状突出部５ｂはばね作用を有しており、その先端の突起部５ｃは上下に容易に移動する。そのため、各突起部５ｃと各凹部７ａとは容易に係脱され、図１に示すように、操作部７を取り外す際には人間の手３により、操作部７を手前に引くだけで、操作部保持部材６から操作部７を取り外すことができ、操作部７の取付も同様に容易に行うことができる。又、各突起部５ｃと各凹部７ａとの係合であるから、安定した係合が行われ、操作部７が脱落することを防止することができる。さらに、操作部保持部材６を介して表面カバー５の各突起部５ｃと操作部７の各凹部７ａとの係合であるから、操作部保持部材６と操作部７との嵌合具合に関係なく、良好な係合を実現することができる。
【図面の簡単な説明】
【００１３】
【図１】この発明の実施最良形態による着脱自在な操作部を備えた電気機器の斜視図である。
【図２】（ａ）は実施最良形態による操作部の斜視図、（ｂ）は操作部保持部材の斜視図、（ｃ）は図２（ｂ）のＡ部拡大図である。
【図３】（ａ）は従来のインバータにおける表面側に着脱自在な操作部が設けられた表面カバーの斜視図、（ｂ）は操作部が表面カバーに取り付けられた状態の横断平面図、（ｃ）は操作部が表面カバーから取り外された状態の横断平面図である。
【符号の説明】
【００１４】
４…電気機器本体部
５…表面カバー
５ａ，７ａ…凹部
５ｂ…Ｕ字状突出部
５ｃ…突起部
６…操作部保持部材
６ａ…挿通溝
７…操作部
【図１】
2009272192.tif 000003
【図２】
2009272192.tif 000004
【図３】
2009272192.tif 000005